(57)【特許請求の範囲】
【請求項１】
壁を有する中空容器（１）、前記壁は内室を形成し、かつ前記壁は、1またはそれ以上の一般的に剛性の部と、1またはそれ以上の相対的に可撓性の部とを含み、
前記容器に取り付けられた首部（５）、前記首部は前記内室へのアクセスを可能にする、
前記容器へ突出したアプリケータ（３）、および
前記アプリケータに取り付けられていて前記首部のまわりで前記容器を閉鎖するキャップ（２）、から成り、
前記1またはそれ以上の相対的に可撓性の部が、前記アプリケータに隣接する前記壁の部分が前記アプリケータに向かって圧搾されて前記容器の内面に接着されたペースト状化粧品が前記アプリケータに接触されることを可能にすることを特徴とする、前記容器の内面に接着するタイプのペースト状化粧品に使用する化粧品包装体。
【請求項２】
前記1またはそれ以上の一般的に剛性の部は、少なくとも１つの孔を有する少なくとも１つの剛性フレーム（８）からなり、前記1またはそれ以上の相対的に可撓性の部は、前記少なくとも１つの孔に適合している少なくとも１つの可撓性部材（９）からなる、請求項１の化粧品包装体。
【請求項３】
前記少なくとも１つの剛性フレームはポリエチレン、ポリプロピレン、ポリ塩化ビニル、ポリエステル、ポリアミド、ナイロン、およびプラスチック配合剤の群から選択された材料により形成されている、請求項２の化粧品包装体。
【請求項４】
前記少なくとも１つの可撓性部材はエラストマー、および熱可塑性プラスチックの群から選択された材料により形成されている、請求項２または３の化粧品包装体。
【請求項５】
前記少なくとも１つの可撓性部材を構成する材料はシリコーン、エチレン酢酸ビニルコポリマー（ＥＶＡ）、ポリエーテルアミドブロックコポリマー、ポリエステルエラストマー、エチレンプロピレンジエンモノマーゴム（ＥＰＤＭ）、ポリウレタン、スチレンブタジエンスチレン（ＳＢＳ）、スチレンイソプレンスチレン、スチレンエチレンブチレンスチレン、スチレンエチレンプロピレンスチレン、ラテックス、およびニトリルブタジエンゴムの群から選択される、請求項４の化粧品包装体。
【請求項６】
前記容器の首部内にワイパー（１１）が設置され、前記ワイパーおよび前記1またはそれ以上の相対的に可撓性の部は前記容器と共に二射出成形（bi-injection molded）されている、請求項１〜５のいずれか１項の化粧品包装体。
【請求項７】
前記1またはそれ以上の一般的に剛性の部は少なくとも１つの厚い部（２５）からなり、前記1またはそれ以上の相対的に可撓性の部は少なくとも１つの薄い部（２４）からなる、請求項１の化粧品包装体。
【請求項８】
前記容器はポリエチレン、ポリプロピレン、ポリ塩化ビニル、ポリエステル、ポリアミド、およびナイロンの群から選択された材料により形成されている、請求項７の化粧品包装体。
【請求項９】
前記厚い部の厚みの前記薄い部の厚みに対する比は約２：１から４：１である、請求項７または８の化粧品包装体。
【請求項１０】
前記厚い部の厚みの前記薄い部の厚みに対する比は約２：１である、請求項９の化粧品包装体。
【請求項１１】
前記厚い部は略０．８から１．１mm厚であり、かつ前記薄い部は略０．４から０．６mm厚である、請求項７または８の化粧品包装体。
【発明の詳細な説明】
【０００１】
発明の分野
本発明は、アプリケータが容器内へ直接突出して物質と接触する化粧品用容器に関する。更に詳細には、本発明は容器の壁の少なくとも一部が容器を圧搾したときに物質がアプリケータに対して付勢されるような可撓性を有し、それによりアプリケータに物質が装填される、容器に関する。
【０００２】
発明の背景
マスカラ、リップグロス、コンシーラ、およびアイシャドー等のペースト状化粧品は、容器へ突出しかつ容器キャップの下側へ固定されたアプリケータを有する容器に入れて市販されている。剛毛、歯、フロッキング、多孔性スポンジ等半径方向または軸方向に突出する突出部がアプリケータ上に設けられていて、その上に化粧物質を保持する。容器の壁は、代表例として、圧力が加わったときに降服しない硬い材料で構成されている。
【０００３】
充分な量の物質をアプリケータ上に装着するために、殆どの消費者は、ポンピング運動のように、容器内でアプリケータを軸方向へ反復的に移動させる。消費者が充分な量の物質を付着させたと感じる場合に、アプリケータを容器から取出して物質を塗布する。アプリケータの反復的挿入および除去は容器内の物質を減少させる。この減少時に、物質の粘性により物質は容器の内壁に接着して、容器の内壁へ接着維持される物質によって空洞が形成される。容器の内壁上の物質は、容器へ挿入されたアプリケータに、大体、届かず、その結果として、消費者は大きな困難を伴うことなく容器から物質の全部を取出すことができない。従って、かかる容器内の物質の殆どは消費者により未使用維持される。
【０００４】
日本特許第９１１７３２２は容器内に袋を合体させることによりこの問題を解決することを提案している。この袋は圧力付加ボードにより押圧され、それによりアプリケータ先端に化粧品が付着する。この容器には種々の欠点が伴う。第一に、容器内へ袋を合体させることは容器内の容積を縮小し、そのために消費者に供給する物質量を減少させる。更に、この提案された解決法は包装作業に必要な部品数が多く、そのために製造および組立コストを上昇させる。
【０００５】
本発明は、消費者が容器内のアプリケータを反復的に「ポンプ」運動させることなくアプリケータに充分な量の物質を付着させることのできる可撓壁を利用した化粧品容器を提供する。
本発明は更に消費者が容器内の物質により大きい割合でアクセスでき、それにより容器内の物質の残量を減少させることのできる化粧品容器を提供する。
更に、本発明は消費者にとって使用が簡単な化粧品容器を提供する。
同様に、本発明は包装の美観を損ねない相対的に単純な装置である化粧品容器を提供する。
発明の概要
【０００６】
本発明は伝統的容器に典型的に可能であった収容化粧品の割合よりも多量の化粧品への消費者によるアクセスを可能にするペースト状化粧品用容器を提供する。本発明は壁を有する中空容器から成り、前記壁は内室を形成し、かつ前記壁の少なくとも一部は可撓性である。前記容器は前記内室へのアクセスを可能にする首部を有する。前記容器にアプリケータが突設されており、かつ前記アプリケータは前記首部のまわりで前記容器を閉鎖するキャップに取り付けられている。
【０００７】
前記アプリケータの挿入および除去の反復的工程によって、前記容器内の化粧品は減少する。この減少時に、化粧品の性質に起因して化粧品は前記容器の内面へ接着して前記アプリケータが化粧品を除去した跡に空洞を形成する。本発明の容器の前記壁の圧搾によって、容器の内面に接着した化粧品はアプリケータへ付勢され、それにより容器の内面から化粧品を除去し、そして殆ど困難なく相対的により多量の化粧品の使用を可能にする。
本発明の他の課題、および特徴は図面を用いて次に説明する実施形態例からより良く理解されるであろう。
発明の詳細な説明
【０００８】
理解を容易にするために、マスカラ包装に関して使用する場合について本発明を説明する。図示形態は単に例示であり、本発明をマスカラに限定するものでない。当分野の通常の知識を有する者に明らかなように、本開示は、制限的でないが、リップグロス、アイブロー、リップ香油、コンシーラー、ヘアマスカラ、軟膏、クリーム、ジエル等を含む着色または無着色のペースト状化粧品に使用できる。
【０００９】
図１Ａおよび１Ｂに示されたように、マスカラ包装体は、概ね、内室を形成する壁を有する容器１、前記容器を閉鎖するためのキャップ２、およびアプリケータ３を有し、前記アプリケータは前記容器へ突出しかつロッド４により前記キャップ２の下側に取り付けられる。前記容器１はその容器１の一端から軸方向へ延在する首部5を有する。前記首部５は前記容器１の内室へのアクセスを可能にする。前記首部５は前記容器へ前記キャップ２を取り付けるための手段を有する。好適には、図面に示されたように、前記キャップ２を前記容器１の首部５へ取り付けるための手段は1セットの対峙するネジ山、一方のセットは前記首部５の外面６上に位置決めされ、かつ他方のセットは前記キャップ２の内面７上に位置決めされる。キャップを容器首部へ取り付ける他の手段、例えば、スナップ閉鎖具、またはラグ形態の閉鎖具は既知であり、同一結果をもって使用できる。
【００１０】
図１Ａおよび１Ｂは本発明の容器の一形態を示す。前記容器１は少なくとも１つの孔を有する剛性フレーム８を含む。前記孔には可撓性部材９が装填される。前記容器を構成する剛性フレーム８および可撓性部材９は二射出成形法（bi-injection molding techniques)により融合された分離構成要素である。この方法は異なる成形材料を同時または連続的に成形器の分離部へ射出し、分離要素を合わせて成形器に充填する。成形器を冷却した上で、異なる材料を交差させて融合し、特定部で異なる材料による単一製品を形成する。
【００１１】
前記剛性フレーム８は底密度ポリエチレン、高密度ポリエチレン等のポリエチレン、異なる密度を有するポリエチレン、ポリプロピレン、ポリ塩化ビニル、ポリエステル、ポリアミド、ナイロン等のブレンド、またはポリカーボネート／ポリプロピレン混合物等の他のプラスチックブレンドであってよい。好適には、前記剛性フレームはポリプロピレンで構成される。
【００１２】
前記可撓性部材９は、好適には、シリコーン、エチレン酢酸ビニルコポリマー（ＥＶＡ）、ポリエーテルアミドブロックコポリマー、ポリエステルエラストマー、エチレンプロピレンジエンモノマーゴム（ＥＰＤＭ）、ポリウレタン、スチレンブタジエンスチレン（ＳＢＳ）、スチレンイソプレンスチレン、スチレンエチレンブチレンスチレン、スチレンエチレンプロピレンスチレン、ラテックス、およびニトリルブタジエンゴム等のエラストマーまたは熱可塑性プラスチック材料で構成される。
【００１３】
図１Ａおよび１Ｂに図示された形態を参照すると、前記可撓性部材９は、好適には、前記アプリケータが前記容器内にあるときに、前記アプリケータの場所に隣接設置される。前記可撓性部材での前記容器の圧搾によって前記容器の内面１０に接着した化粧品は前記アプリケータ３に接触し、それにより前記アプリケータ３に化粧品を付着させて前記容器１内の塊の使用可能量を増大する。可撓性を有しないペースト状物質容器に典型的に伴う悪影響を減少させるための前記容器１の圧搾能力、即ち、本発明の容器は容器１の壁の内面１０へ接着した化粧品へのアクセスを可能にする。そのようにしてかかる容器内面に接着した化粧品は、消費者が容器内へアプリケータを反復的に摺動または「ポンプ」作動させることなく前記アプリケータ３に容易に接触する。
【００１４】
更に、図１Ｃに示されたように、前記容器の首部５内のワイパー１１は単一工程で前記可撓性部材と共に同時に二射出成形（bi-injection molded)できる。この単一工程により、前記ワイパーは上述の可撓性部材と同様に容器に溶接される。前記ワイパーの溶接は多くのマスカラ包装体に関するワイパー保持の問題を解消する。
【００１５】
多くのマスカラ包装体において、ワイパーは容器の首部内へ摩擦嵌めされる。時間の経過により、アプリケータの反復的除去および挿入によってワイパーは弛緩しかつ容器首部から離脱し、消費者がアプリケータを容器から外すときに、ワイパーも外してしまうことになる。その結果、アプリケータによる拭き取りを不可能にし、消費者はマスカラをその繋索に付着させることができなくなる。
【００１６】
図1Cの形態により、前記ワイパー11は前記可撓性部材9と共に二射出成形される。好適には、そして図1Cに示されたように、前記ワイパー11と前記可撓性部材9は同一材料で形成される。前記ワイパー11と前記可撓性部材9が同一材料である場合、好適には、前記ワイパーと可撓性部材はウエブ12によって連結される。これは二射出成形材料のために単一射出点のみを必要とし、成形作業をより容易に促進する。この形態の利点は、1つの作業で、首部を有する容器最終品、固定されたワイパー、および可撓性壁部材を形成することである。
【００１７】
前記ワイパーが前記容器の首部内にすでに設置されているので、この包装体は底部の装着を必要とする。従って、この包装体は予め組立てられたキャップとアプリケータ、および適所に設置された、または底部14から除去したプラグ13と共に運ばれる。前記プラグ13を容器の底部14から除去することによって、容器にマスカラを充填する。所望量の充填後に、前記プラグ13は容器の下側に固定され、かつ容器は販売状態になる。前記プラグ13は、ネジ取付具、スナップ係止具等により容器の底部へ固定でき、かかるプラグ固定手段は化粧品包装分野の通常の知識を有する者に既知である。
【００１８】
図2Aおよび2Bは本発明の容器の第二形態を示す。この形態において、容器壁20は少なくとも1つの薄い部24および少なくとも1つの厚い部25を有し、薄い部24は厚い部25よりも更に可撓である。厚い部25は容器構造にサポートを与え、薄い部24は消費者による圧力が加わるときに内方へ屈撓する。前記壁２０の材料は底密度ポリエチレン、高密度ポリエチレン等のポリエチレン、異なる密度を有するポリエチレン、ポリプロピレン、ポリ塩化ビニル、ポリエステル、ポリアミド、ナイロン等のブレンドであってよい。好適には、前記壁２０はポリプロピレンまたはポリエチレンで形成される。前記厚い部の厚みの前記薄い部の厚みに対する比は約２：１から４：１であり、更に好適には、約２：１である。前記厚い部の厚みは略０．８mmから１．１mmであり、かつ前記薄い部の厚みは略０．４mmから０．６mmである。
【００１９】
図２Ａおよび２Ｂに図示された形態の機能は図１Ａおよび１Ｂの形態と同様である。消費者は前記アプリケータに隣接する位置で前記容器本体を単純に圧搾し、かつそのようにして化粧品を前記アプリケータに付着させる。
図３Aおよび３Bは本発明の容器の更に他の形態を示す。前記容器は硬質首部４０および可撓性本体部４２を有する。首部４０は本体部４２と同一材料により構成される。硬質首部４０を形成する目的は容器それ自体を変形させることなく容器上に前記キャップ２を確実にフイットさせるためである。
【００２０】
前記容器の首部40および本体部４２は所望容器形態に押出成形される多層ラミネート材により構成される。前記本体部４２はそれ自体押しつぶれない充分な厚みと、消費者が前記アプリケータに向けて前記本体部を圧搾できる薄さである。押出成形ラミネートは2層から7層、好適には3層から5層であってよく、この場合、多層ラミネートの層は一緒に可撓性本体部を形成する材料により構成され、例えば、ポリプロピレンとエチレンビニルアルコールの押出成形物、ポリプロピレンとポリ塩化ビニリデンの押出成形物、およびポリプロピレンと熱可塑性プラスチックオレフィンエラストマーの押出成形物である。
【００２１】
可撓性本体部４２の採用は消費者によるいずれかの角度からの、そして前記容器の全長に沿った容器の圧搾を可能にし、それにより容器内の化粧品の使用を最大限にする。同様に、いずれの角度そして全角度からの容器の圧搾を可能にする能力は消費者による前記アプリケータ３上への化粧品の均一分配を可能にし、かつ前記アプリケータ上に充分な量の化粧品を付着させるために消費者が容器内でアプリケータを軸方向へ摺動させる必要性を解消する。
【００２２】
上述の図示例において収容される化粧品に依存して、付加的処理が前記容器の内側または外側へ追加されてよい。かかる処理は弗素化処理、高バリア材による容器のラミネート化、外側のカバリング等を含む。例えば、揮発性マスカラ配合剤が容器内に収容される場合に、容器のバリア特性を高めるために容器の内面は弗素化処理されてよい。同様に、容器の外面は、容器にソフト感を与えるために、熱可塑性プラスチックオレフィンエラストマー等の材料による上シエルを有するものであってよい。かかる処理の利用は当分野の熟練者に周知である。
【００２３】
本発明、そしてその広義の特徴は図示かつ説明した特定細部に限定されない。むしろ種々の改良が当分野の熟練者に示唆されており、そのすべてが本発明の範囲に属する。
【図面の簡単な説明】
【図１Ａ】  本発明の第一形態による化粧品包装体の断面図である。
【図１Ｂ】  本発明の第一形態による化粧品包装体の断面図である。
【図１Ｃ】  本発明の他の形態による化粧品包装体の断面図である。
【図２Ａ】  本発明の他の形態による化粧品包装体の断面図である。
【図２Ｂ】  本発明の他の形態による化粧品包装体の断面図である。
【図３Ａ】  本発明の他の形態による化粧品包装体の断面図である。
【図３Ｂ】  本発明の他の形態による化粧品包装体の断面図である。
【図１Ａ】
0003668137.tif 000002
【図１Ｂ】
0003668137.tif 000003
【図１Ｃ】
0003668137.tif 000004
【図２Ａ】
0003668137.tif 000005
【図２Ｂ】
0003668137.tif 000006
【図３Ａ】
0003668137.tif 000007
【図３Ｂ】
0003668137.tif 000008